(57)【要約】      （修正有）【課題】施療中の被施療者に対して視覚的な刺激を与えることができるマッサージ機の提供。【解決手段】マッサージ機は、身体支持部に支持された被施療者の頭部を覆うフード５と、フード５に設けられた発光装置１０とを備え、該発光装置１０は、周面に蛍光部が形成された棒状の導光体と、導光体の端面を介して導光体の内部へ光を入射する光源とを有し、導光体がフード５の内側に配設されている。【選択図】図２
2008029804.tif 000002
【特許請求の範囲】
【請求項１】
被施療者の身体を支持する身体支持部と、該身体支持部に支持された被施療者に押圧刺激を付与する施療部とを備えるマッサージ機であって、
前記身体支持部に支持された被施療者の頭部を覆うフードと、該フードに設けられた発光装置とを更に備え、
該発光装置は、導光体と、該導光体の端面を介して該導光体の内部へ光を入射する光源とを有し、前記導光体が前記フードの内側に配設されていることを特徴とするマッサージ機。
【請求項２】
前記身体支持部は、被施療者が着座する座部と、該座部に着座した被施療者の上体を支持する背凭れ部とを有し、前記フードは前記背凭れ部の上部に配設されていることを特徴とする請求項１に記載のマッサージ機。
【請求項３】
前記フードはボウル形状を成し、前記発光装置が有する導光体は前記フードの内面に沿う湾曲部を有し、該湾曲部における内側の周面に蛍光面が形成されていることを特徴とする請求項１又は２に記載のマッサージ機。
【請求項４】
前記導光体は長寸のプレート状を成し、前記身体支持部に支持された被施療者から見て左右方向に沿うようにして配設されていることを特徴とする請求項１乃至３の何れかに記載のマッサージ機。
【請求項５】
前記発光装置は、前記導光体の後方に設けられて該導光体からの光を反射する反射部材と、前記導光体の前方に設けられて前記導光体からの直接光又は前記反射部材からの反射光が通過する散乱部材とを更に有することを特徴とする請求項１又は２に記載のマッサージ機。
【請求項６】
前記発光装置が有する前記導光体、前記反射部材、及び前記散乱部材は、それぞれ長寸を成し、前記身体支持部に支持された被施療者から見て左右方向に沿うようにして配設されていることを特徴とする請求項５に記載のマッサージ機。
【請求項７】
前記発光装置は、前記施療部の動作に同調して発光するよう構成されていることを特徴とする請求項１乃至６の何れかに記載のマッサージ機。
【請求項８】
前記身体支持部に支持された被施療者の生体情報を検出するセンサを更に備え、前記発光装置は、前記センサが検出した生体情報に同調して発光するよう構成されていることを特徴とする請求項１乃至７の何れかに記載のマッサージ機。
【請求項９】
音楽データを再生する再生装置を更に備え、前記発光装置は、前記再生装置で再生される音楽データに同調して発光するよう構成されていることを特徴とする請求項１乃至８の何れかに記載のマッサージ機。
【発明の詳細な説明】
【技術分野】
【０００１】
本発明は、被施療者の身体を施療するマッサージ機に関し、特に、施療中の被施療者に視覚的な刺激を与えることができるマッサージ機に関する。
【背景技術】
【０００２】
従来、膨張・収縮する空気袋や転動する施療子等を備えるマッサージ機として、例えば、椅子型マッサージ機（特許文献１参照）やマットレス型マッサージ機（特許文献２参照）などが存在している。これらのマッサージ機は、前記空気袋や施療子等によって被施療者に物理的な押圧力を付与し、これにより筋肉の凝りをほぐし、又はツボを刺激して被施療者の身体を施療するものである。
【特許文献１】特開２００５−１９２６０３号公報
【特許文献２】特開２００５−３１８９３８号公報
【発明の開示】
【発明が解決しようとする課題】
【０００３】
ところで、上記特許文献１，２のように、従来のマッサージ機においては身体に物理的な押圧力を付与するものが一般的であり、視覚的な刺激を被施療者に付与するものはなかった。しかしながら、例えば、施療子による物理的な刺激と共に視覚的な刺激を付与することにより、被施療者に対する施療の効果を向上させることが期待され、このようなマッサージ機の提供が要望されている。
【０００４】
そこで本発明は、物理的な刺激と共に視覚的な刺激を被施療者に付与することができる椅子型又はマットレス型等のマッサージ機を提供することを目的とする。
【課題を解決するための手段】
【０００５】
本発明は上述したような事情に鑑みてなされたものであり、本発明に係るマッサージ機は、被施療者の身体を支持する身体支持部と、該身体支持部に支持された被施療者に押圧刺激を付与する施療部とを備えるマッサージ機であって、前記身体支持部に支持された被施療者の頭部を覆うフードと、該フードに設けられた発光装置とを備え、該発光装置は、蛍光面を有する導光体と、該導光体の端面を介して該導光体の内部へ光を入射する光源とを有し、前記導光体が前記フードの内側に配設されている。
【０００６】
このような構成とすることにより、施療者に対して押圧刺激と共に発光装置による視覚的な刺激も付与することができる。また、発光装置が有する導光体がフードの内側に配設されているため、このフードに頭部を覆われた被施療者は、外界からの視覚的刺激が抑制される。その結果、発光装置による視覚的な刺激を、被施療者へ効率的に付与することができる。
【０００７】
また、前記身体支持部は、被施療者が着座する座部と、該座部に着座した被施療者の上体を支持する背凭れ部とを有し、前記フードは前記背凭れ部の上部に配設されていてもよい。このような構成とすることにより、所謂椅子型のマッサージ機においても、背凭れ部に凭れた状態の被施療者の頭部をフードで覆うことができ、その内側に設けた発光装置によって効率的に視覚的刺激を付与することができる。
【０００８】
また、前記フードはボウル形状を成し、前記発光装置が有する導光体は前記フードの内面に沿う湾曲部を有し、該湾曲部における内側の周面に前記蛍光面が形成されていてもよい。例えば、湾曲部における外側の周面に蛍光面が形成されている棒状の導光体に、その端面から入射した場合、導光体の湾曲部の中央部分に近付くにつれて光量が減少するため、湾曲部の中央部分とその他の部分とで輝度に差が生じてしまう。しかしながら上述したように、湾曲部における内側の周面に蛍光面を形成すると、中央部分での輝度の低下が抑制され、導光体の長手方向における輝度が均一化されるため好ましい。
【０００９】
また、前記導光体は長寸のプレート状を成し、前記身体支持部に支持された被施療者から見て左右方向に沿うようにして配設されていてもよい。一般に、人は上下方向よりも左右方向の方が広い視認範囲を有しているため、上述したような構成とすることにより、棒状の導光体からの発光によって被施療者へ効率的に視覚的刺激を付与することができる。
【００１０】
また、前記発光装置は、前記導光体の後方に設けられて該導光体からの光を反射する反射部材と、前記導光体の前方に設けられて前記導光体からの直接光又は前記反射部材からの反射光が通過する散乱部材とを更に有していてもよい。このような構成とすることにより、散乱部材を通過して外部へ放射される光の輝度の均一化を図ることができる。
【００１１】
また、前記発光装置が有する前記導光体、前記反射部材、及び前記散乱部材は、それぞれ長寸を成し、前記身体支持部に支持された被施療者から見て左右方向に沿うようにして配設されていてもよい。このような構成とすることにより、被施療者へ効率的に視覚的刺激を付与することができる。
【００１２】
また、前記発光装置は、前記施療部の動作に同調して発光するよう構成されていてもよい。このような構成とすることにより、施療部による物理的な刺激と発光装置による視覚的な刺激とを合わせて被施療者に付与することができる。
【００１３】
また、前記身体支持部に支持された被施療者の生体情報を検出するセンサを更に備え、前記発光装置は、前記センサが検出した生体情報に同調して発光するよう構成されていてもよい。例えば、生体情報としては被施療者の脈拍があり、脈拍に連動するように発光するようにしてもよい。
【００１４】
また、音楽データを再生する再生装置を更に備え、前記発光装置は、前記再生装置で再生される音楽データに同調して発光するよう構成されていてもよい。このような構成とすることにより、被施療者は、好みの音楽に同期する光を視覚的に楽しみながら施療部による施療を受けることができる。
【発明の効果】
【００１５】
本発明によれば、物理的な刺激と共に視覚的な刺激を被施療者に付与することができる椅子型又はマットレス型等のマッサージ機を提供することができる。
【発明を実施するための最良の形態】
【００１６】
以下、本発明の実施の形態について図面を参照しながら説明する。
【００１７】
図１は、本発明の実施の形態に係るマッサージ機の外観を示す斜視図である。図１に示すように、マッサージ機１は椅子型を成しており、被施療者が着座するための座部２と、被施療者の上半身を支持するための背凭れ部３と、被施療者の足置きとして用いられるフットレスト４とを備えている。更に、背凭れ部３の上部には、被施療者の頭部を覆うことができるフード５が設けられている。そして、本実施の形態では、これらの座部２、背凭れ部３、及びフットレスト４によって身体支持部１ａを構成している。なお、以下の説明で用いる方向の概念は、マッサージ機１に着座した被施療者から見たときの方向の概念と一致するものとし、その他の場合は適宜説明を付す。
【００１８】
図２は、図１に示したフード５の外観を示す斜視図である。フード５は、球殻を四等分して得られる１つの如く略ボウル形状を成し、外観形状が互いに略同一の外殻部６と内殻部７とを有している。フード５の左右の端部には軸受５ａ，５ａが形成され、この軸受５ａ，５ａが背凭れ部３（図１参照）の上部から左右へ突設された図示しない軸によって枢支されるようになっている。従って、フード５は、背凭れ部３に枢支された状態で左右方向の軸周りに回転可能になっており、前方へ回転したときは被施療者の頭部を上方及び前方から覆い（図１中の二点鎖線で示したフード５参照）、後方へ回転したときは被施療者の後方まで後退する（図１中の実線で示したフード５参照）。本実施の形態では、上述したようにフード５を背凭れ部３に枢支する構成としたが、これに限られず、例えば背凭れ部３の左右外方に支持ポールを立設し、その上部に設けた軸により、背凭れ部３からは離隔した状態でフード５を枢支するようにしてもよいし、フード５を被施療者の頭部を覆える位置に枢支できるものであれば、その他の構成を採用してもよい。
【００１９】
外殻部６の後部（図２における下部）の内面にはキャスタ６ａが取り付けられており、このキャスタ６ａは内殻部７の後部（図２における下部）に形成された矩形孔７ａを通じてフード５の内側へ突出している。キャスタ６ａは、フード５が背凭れ部３に枢支されたときに、背凭れ部３の後部に設けられた図示しないレールに接するようになっており、フード５が前後方向に回転するときにレール上を転動することにより、フード５と背凭れ部３との直接的な接触を防止すると共に、背凭れ部３に対してフード５を支持している。また、フード５には、左右へ延びる発光装置１０が、外殻部６の前側周縁部６ｂの内面に沿うようにして取り付けられている。
【００２０】
図３は、図２に示した発光装置１０の外観を示す斜視図である。図３に示すように、発光装置１０は、長寸プレート状の導光体１１と、該導光体１１の左右の端部に設けられた光源１２（図３では一方の端部に設けられた光源１２のみを示している）とを備えている。導光体１１はアクリル樹脂で成型されており、その一面には蛍光剤が均一に塗布された蛍光面１１ａが形成されている。
【００２１】
図４は、図３に示した光源１２を別の方向から見たときの外観を示す斜視図である。図４に示すように、光源１２は、赤色、緑色、及び青色の各ＬＥＤ１３ａを有する光源ユニット１３と、この光源ユニット１３を収容する本体部１４とを備えている。より詳述すると、本体部１４は、光源ユニット１３が収容される内部空間を有する略直方体形状の収容部１４ａと、該収容部１４ａの前面上部から延設されて該収容部１４ａより薄肉のフランジ１４ｂとから構成されている。収容部１４ａの前面下部には凹状に窪んだ凹部１４ｃが形成され、収容部１４ａの後部には光源ユニット１３を入れるための開口１４ｄが形成されている。そして、開口１４ｄから収容部１４ａ内に光源ユニット１３を収容すると、ＬＥＤ１３ａが凹部１４ｃ内に露出するようになっており、この状態で開口１４ｄは矩形板状のプレート１５によって閉塞される。
【００２２】
また、光源１２は、本体部１４のフランジ１４ｂに接続されて導光体１１の長手方向の端部を支持する導光体支持部１６を備えている。この導光体支持部１６は略直方体形状を成し、上面には凹状に窪んだ凹部１６ａが形成されている。本体部１４のフランジ１４ｂに導光体支持部１６をネジ止めした場合、本体部１４が有する凹部１４ｃが形成するスペースと導光体支持部１６が有する凹部１６ａが形成するスペースとは連通するようになっている。そして、フランジ１４ｂと凹部１６ａとに囲まれた部分に直方体形状の支持スペース１７が形成され、この支持スペース１７に、蛍光面１１ａを上側にした導光体１１の端部が挿通されて支持される（図３参照）。その結果、導光体１１の端面に光源１２のＬＥＤ１３ａが対向することとなり、端面を介して導光体１１の内部へ、ＬＥＤ１３ａの光が入射されるようになっている。入射された光は、蛍光面１１ａで反射され、蛍光面１１ａとは反対側の面を介して導光体１１から外方へ発せられる。また、本体部１４の上面には、光源１２をフード５（図２参照）に取り付けるための矩形板状のブラケット１８がネジ止めされている。
【００２３】
図５は、上述した発光装置１０をフード５に取り付ける手順を示す図面である。図５に示すように、発光装置１０は、光源１２の支持スペース１７（図４参照）に導光体１１の端部が挿通された状態で、フード５の外殻部６における前側周縁部６ｂに沿って配設される。このとき導光体１１は、外殻部６の前側周縁部６ｂの内面形状に整合するように、長手方向に沿ってカーブした湾曲部１１ｂを有しており、蛍光面１１ａは湾曲部１１ｂにおける外側の面、即ち、外殻部６の内面に対向する側に位置している。フード５の外殻部６における左右の内面にはボス部６ｃが突設され、その頂部には図示しない雌ネジが形成されている。そして、ブラケット１８が前記ボス部６ｃにネジ止めされることにより、光源１２及び導光体１１は外殻部６に取り付けられる。
【００２４】
内殻部７の前側周縁部には、導光体１１とほぼ同じ長さを有する矩形の切欠部７ｂが形成されている。そして、発光装置１０が取り付けられた状態の外殻部６の内側に内殻部７が装着されると、光源１２は外殻部６と内殻部７とによって挟まれ、外部へ露出しないようになっている。即ち、発光装置１０は、内殻部７の切欠部７ｂを通じて導光体１１のみが露出するようになっている（図２参照）。
【００２５】
一方、マッサージ機１は、物理的な押圧刺激によって被施療者の各部位を施療するための施療部を成すマッサージ機構や複数の空気袋を備えている。図６は、マッサージ機１に設けられた各種の施療部を説明するための斜視図である。なお、図６においては、後退させた状態のフード５を二点鎖線により示している。
【００２６】
図６に示すように、座部２は、基台２ｂの上部にクッション部２ａが配されて構成されている。基台２ｂは、比較的高い硬度を有する合成樹脂製であり、その内側が凹状に窪んだ形状とされている。クッション部２ａは、ウレタンフォーム，スポンジ，又は発泡スチロール製の内装材（図示せず）が基台２ｂの内面に載置されており、更にこれをポリエステル製の起毛トリコット，合成皮革，又は天然皮革等からなる外装材にて覆って構成されている。従って、座部２は、被施療者が着座したときに、被施療者の腰部及び大腿部を背部から側部に亘って覆うような形状となっている。また、図２に示すように、この座部２のクッション部２ａには、その内部に複数の空気袋２ｃが設けられている。これらの空気袋２ｃは、被施療者の腰部及び大腿部の背部に対応する箇所、即ち凹状の内底部分と、被施療者の腰部及び大腿部の側部に対応する箇所、即ち凹状の内側部分とに設けられている。
【００２７】
また、座部２の上部前側には、フットレスト４の上端部が枢着されている。これによりフットレスト４は、その上端部を中心にして前後に回動可能とされている。フットレスト４は、内側が凹状に窪んだ形状をなすカバー部４ａと、このカバー部４ａの内側に設けられたクッション部４ｂとから主として構成されている。カバー部４ａは、基台２ｂと同じ材料によって形成されており、正面視においてチャネル状をなしている。このカバー部４ａの内側に配置されているクッション部４ｂは、２つの縦長の凹状に窪んだ凹状部分４ｃを有している。この凹状部分４ｃは、一般的な体格の成人の下腿及び足（足首より末端の部分）よりも若干大きく形成されており、被施療者がマッサージ機１に着座したときに、足置きとして用いられる。
【００２８】
このような凹状部分４ｃは、マッサージ機１に被施療者が着座したときに、この凹状部分４ｃが被施療者の下腿及び足を背部から側部及び足底に亘って覆うように、被施療者の下腿部の背部に対向する内底部分と、被施療者の下腿部の側部に対向する内側部分と、被施療者の足底に対向する内下底部分とから構成されている。そして、クッション部４ｂは、前述したクッション部２ａと同じ内装材及び外装材によって構成されており、その内底部分、内側部分、及び内下底部分の内側には、複数の空気袋４ｄが夫々設けられている。
【００２９】
背凭れ部３は、座部２の後部に設けられている。この背凭れ部３は、その下端部が基台２ｂに枢着されて前後に回動自在になっており、これによりリクライニング可能とされている。なお、背凭れ部３を傾倒させるに伴って、背凭れ部３の下部を座部２の内側に潜り込ませるように背凭れ部３を移動させる構成としてもよい。このようにすることによって、被施療者の胴体の背部と、後述する施療子３１との相対的な位置のずれが発生することを抑制することができる。
【００３０】
また、背凭れ部３は、被施療者の胴体を支持するための部分と、被施療者の頭部を支持するための部分とから主として構成されている。背凭れ部３の全体は、内側が凹状に窪んだ形状をなすカバー部３ａによって一体的に構成されており、このカバー部３ａの内側に、被施療者の胴体を支持するためのクッション部３ｂと、被施療者の頭部を支持するためのクッション部３ｃとが上下に並べられた状態で設けられている。カバー部３ａは、基台２ｂと同じ材料によって、丸みを帯びた略舟形状に形成されており、クッション部３ｂ，３ｃは、前述したクッション部２ａと同じ内装材及び外装材によって構成されている。
【００３１】
胴体を支持するクッション部３ｂは、被施療者が着座したときに、被施療者の胴体を背部から側部に亘って覆うような形状となっている。また、クッション部３ｂにも、複数の空気袋３ｄが内蔵されている。これらの空気袋３ｄは、被施療者の胴体の側部に対応する箇所、即ち凹状の内側部分に設けられている。また、クッション部３ｂの上端部には、被施療者の頸部の側部及び肩の上部に刺激を与えるための空気袋３ｇが設けられている。
【００３２】
背凭れ部３の内部であって被施療者の胴体背部に対応する箇所、即ち凹状の内底部分には、マッサージ機１の施療部の１つであるマッサージ機構３０が備えられている。このマッサージ機構３０は、揉み用モータ３０ａ、叩き用モータ３０ｂ、及び昇降用モータ３０ｃを有し、これらのモータ３０ａ〜３０ｃを駆動することによって、施療子３１に揉み動作、叩き動作、及びローリング動作を行わせることができるようになっている。
【００３３】
また、カバー部３ａは、頭部を支持するクッション部３ｃより前方に延設された部分を有しており、この部分の内側にもクッション部３ｅが設けられている。このクッション部３ｅは、被施療者が着座したときに、被施療者の上腕部及び肩の側部を覆うような位置に設けられており、その内部には複数の空気袋３ｆが設けられている。また、頭部を支持するクッション部３ｃにおける左右の部分には、後述する再生装置４０によって再生された音楽等を出力するスピーカ３２が設けられている。
【００３４】
このような背凭れ部３の前方であって、座部２の両側部の上方には、２つの肘掛け部２５が設けられている。肘掛け部２５は、板状の部材を円弧状に湾曲させた如き形状をなすカバー部２５ａと、該カバー部２５ａの内側に設けられたクッション部２５ｂとから構成されている。このような肘掛け部２５は、一般的な成人の前腕より若干長く、図１に示す如く、被施療者がマッサージ機１に着座したときに、被施療者の肘、前腕、及び手等を覆うように保持することが可能である。そして、クッション部２５ｂには、複数の空気袋２５ｃが内蔵されている。具体的に説明すると、肘掛け部２５は正面視において略Ｕ字型をなしており、使用状態のときに被施療者の前腕の外側部分（手の甲に連なる部分）、内側部分（手のひらに連なる部分）、及び横側部分（手の小指側に連なる部分）に夫々刺激を与えるべく、そのＵ字の両内側部分及び内底部分の３箇所に、空気袋２５ｃが設けられている。
【００３５】
図７は、上述したようなマッサージ機１の機能を説明するためのブロック図である。図７に示すようにマッサージ機１は、音楽データ等の音響信号を再生する再生装置４０と、該再生装置４０から出力された音響信号が入力される分岐回路４１と、該分岐回路４１に接続された制御信号化回路４２とを備えている。これら分岐回路４１及び制御信号化回路４２と、後述する自動マッサージ回路４６とによって制御装置４３が構成されており、該制御装置４３には被施療者が操作するコントローラ４５が接続されている。再生装置４０としては、レコードプレーヤー、ＣＤプレーヤー、ＭＤプレーヤー、ＭＩＤＩ音源、テープデッキ等の音響再生装置の他、テレビチューナ、ラジオ等も含まれる。そして、再生装置４０から出力されて分岐回路４１へ入力された音響信号は、該分岐回路４１から、スピーカ３２への信号と制御信号化回路４２への信号とに分けられて出力される。
【００３６】
スピーカ３２へ入力された音響信号は、該スピーカ３２にて音響に変換されて出力される。制御信号化回路４２には、分岐回路４１からの信号の他、マッサージ機１が備える脈拍センサ４４からの信号も入力される。この脈拍センサ４４は、マッサージ機１に着座した被施療者の指に装着されるものであり、生体情報の一つとして、心臓の拍動に伴う末梢血管系内の血圧等の変化（脈拍）を検出可能である。そして、検出された脈拍に関する生体信号が、制御信号化回路４２へ入力される。
【００３７】
制御信号化回路４２は、分岐回路４１からの音響信号又は脈拍センサ４４からの生体信号を変換して制御信号を得ると共に、この制御信号を駆動回路５０〜５４へ適宜割り当てる。制御信号としては、音響信号又は生体信号をそのまま用いてもよいし、例えばローパスフィルタ又はバンドパスフィルタ等を介して特定周波数成分のみを制御信号としてもよいし、あるいは、適当なバイアス信号を付加して制御信号としてもよく、これらを組み合わせて制御信号を得てもよい。
【００３８】
このような制御信号が入力される駆動回路５０〜５４のうち、駆動回路５０は、発光装置１０が備える光源１２に接続され、制御信号化回路４２からの制御信号に基づいて発光装置１０を駆動させる。その結果、発光装置１０が有する導光体１１が発光される。駆動回路５１〜５３は、揉み用モータ３０ａ、叩き用モータ３０ｂ、及び昇降用モータ３０ｃの夫々に接続され、制御信号化回路４２からの制御信号に基づいてこれらのモータ３０ａ〜３０ｃを駆動させる。その結果、マッサージ機１の施療部の１つであるマッサージ機構３０を駆動させ、施療子３１による揉み、叩き、又はローリング等の各種のマッサージが実行される。
【００３９】
また、駆動回路５４は電磁弁５５及びエアポンプ５６に接続されている。この電磁弁５５は合計７つ備えられており、このうち６つの電磁弁５５の夫々にはエアホースを介して空気袋２ｃ，３ｄ，３ｆ，３ｇ，４ｄ，２５ｃ（図６も参照）が接続されている。残りの１つの電磁弁５５には、エアポンプ５６がエアホースを介して接続されている。そして、各電磁弁５５の駆動により、エアポンプ５６と、空気袋２ｃ，３ｄ，３ｆ，３ｇ，４ｄ，２５ｃとの間の連通状態を任意に選択できるようになっている。また、空気袋２ｃ，３ｄ，３ｆ，３ｇ，４ｄ，２５ｃのうち、エアポンプ５６と連通していないものの１又は複数は、各電磁弁５５に備えられた図示しない排気口に接続され、残りは遮断されて空気が出入りできないようにすることが可能になっている。従って、駆動回路５４からの信号により電磁弁５５及びエアポンプ５６が動作すると、マッサージ機１の施療部を成す空気袋２ｃ，３ｄ，３ｆ，３ｇ，４ｄ，２５ｃが膨張又は収縮し、被施療者に対する押圧マッサージが実行される。
【００４０】
なお、電磁弁５５に換えてロータリーバルブを用いることも可能である。この場合、７つのポートを有するロータリーバルブを用い、このうち１つのポートはエアポンプ５６にエアホースを介して接続し、残りの６つのポートを空気袋２ｃ，３ｄ，３ｆ，３ｇ，４ｄ，２５ｃに接続する。また、ロータリーバルブにはステッピングモータを内蔵し、このモータの動作によってポート間の接続が切り替えられ、エアポンプ５６と、空気袋２ｃ，３ｄ，３ｆ，３ｇ，４ｄ，２５ｃとの間の連通状態が順次切り替えられるようにすればよい。更に、エアポンプ５６と連通状態にない空気袋のうち１又は複数は、ロータリーバルブに設けた排気口に接続され、エアポンプ５６と連通状態にない残りの空気袋はポートが閉塞されるようにすればよい。従って、電磁弁５５に換えてロータリーバルブを用いた場合も、マッサージ機１の施療部を成す空気袋２ｃ，３ｄ，３ｆ，３ｇ，４ｄ，２５ｃを膨張又は収縮させ、被施療者に対する押圧マッサージを実行することができる。
【００４１】
また、制御装置４３は、上述した分岐回路４１及び制御信号化回路４２の他に、自動マッサージ回路４６を備えている。自動マッサージ回路４６は、コントローラ４５からの信号に基づき、駆動回路５０〜５４の１又は複数に対し、複数種のパターンのうち所定パターンの駆動信号を選択的に出力することができるようになっている。即ち被施療者は、コントローラ４５により、複数の自動マッサージコースのうちの１つを選択することができるようになっており、自動マッサージ回路４６は、コントローラ４５からの信号に基づき、被施療者が選択したコースに対応するパターンの駆動信号を、駆動回路５０〜５４の１又は複数へ出力する。そして駆動回路５０〜５４は、各パターンの信号に基づき、発光装置１０、モータ３０ａ〜３０ｃ、及び電磁弁５５を駆動し、発光、揉み、叩き、ローリング、押圧などの各種のマッサージ動作を実行させる。
【００４２】
なお、上述した例では、１つの制御装置４３によって全ての駆動回路５０〜５４が駆動される構成を示したが、これらの駆動回路５０〜５４のうち１又は複数毎にこれを駆動させる制御装置を用意してもよい。例えば、発光装置１０を動作させる駆動回路５０には、専用の制御装置４３ａを割り当ててもよく、この場合の回路図の一例を図８に示しておく。この場合は、上述した制御装置４３と同様に、制御装置４３ａが分岐回路４１及び脈拍センサ４４からの入力を受け付けるようにしておけばよい。
【００４３】
次に、上述したような構成を成すマッサージ機１の動作について説明する。図１に示すように、被施療者が、座部２に着座して背凭れ部３によって上半身が支持された状態で、フード５を前方へ回動させると、被施療者の頭部が上方及び前方からフード５によって覆われた状態となる（図中、二点鎖線で示す状態）。そしてこのとき、フード５の内側に設けられた発光装置１０の導光体１１は、被施療者の眼前で左右方向へ延びた状態となっている。
【００４４】
［施療子又は空気袋等の施療部と発光装置との同調］
この状態で、被施療者がコントローラ４５（図７参照）を操作して所定の自動マッサージコースを選択した場合、自動マッサージ回路４６がこのコースに対応するパターンの駆動信号を駆動回路５０〜５４へ出力する。その結果、発光装置１０と、モータ３０ａ〜３０ｃ及び電磁弁５５とが、互いに連動して動作する。従って、被施療者は、モータ３０ａ〜３０ｃによって動作される施療子３１や、電磁弁５５及びエアポンプ５６によって動作される空気袋２ｃ，３ｄ，３ｆ，３ｇ，４ｄ，２５ｃなどによる物理的刺激に連動して、発光装置１０の発光による視覚的刺激を受けることができる。
【００４５】
ここで、発光装置１０の同調動作としては、施療子３１や空気袋２ｃ，３ｄ，３ｆ，３ｇ，４ｄ，２５ｃ等の施療部の動作速度の大小、又は該施療部による被施療者への物理的刺激の強弱に応じ、光量を増減させるように、又は発光色を変化させるようにしてもよい。また、上記施療部の動作リズムに応じた速さで、発光色を段階的に変化（グラデーション的に変化）させるようにしてもよい。
【００４６】
［音響と発光装置の動作との同調］
また、被施療者が、例えば再生装置４０としてのＣＤプレーヤーに音楽ＣＤをセットし、該音楽ＣＤに記録された音響信号（音楽データ）を再生した場合は、再生された音響信号が制御装置４３の分岐回路４１へ入力される。分岐回路４１は、この音響信号をスピーカ３２と制御信号化回路４２とへ出力し、スピーカ３２はこの音響信号を音響に変換して、被施療者が聴くことのできる音として出力する。制御信号化回路４２は、入力された音響信号に応じて駆動回路５０〜５４へ駆動信号を出力し、発光装置１０、モータ３０ａ〜３０ｃ、又は電磁弁５５及びエアポンプ５６が駆動される。この結果、スピーカ３２から発せられる音響と同調して発光装置１０及び施療部が動作することとなる。
【００４７】
ここで、音響に同調する発光装置１０の動作としては、音響の周波数の高低、又は振幅の高低に応じ、光量を増減させるように、又は発光色を変化させるようにしてもよい。また、音響のリズムに応じた速さで、発光色を段階的に変化（グラデーション的に変化）させるようにしてもよい。
【００４８】
［生体情報と発光装置の動作との同調］
また、被施療者が、脈拍センサ４４によって脈拍（生体情報）を測定した場合は、脈拍を示す生体信号が制御信号化回路４２へ入力され、制御信号化回路４２は、入力された信号に応じた駆動信号を、駆動回路５０〜５４へ出力する。その結果、脈拍に同調して発光装置１０及び施療部が動作することとなる。ここで、脈拍に同調する発光装置１０の動作としては、脈拍速度の大小に応じ、光量を増減させるように、又は発光色を変化させるようにしてもよい。
【００４９】
ところで、本実施の形態では、図３に示したようにアクリル樹脂から成る真っすぐなプレート状の導光体１１を、蛍光面１１ａを外方となるよう湾曲させてフード５に配設している。しかしながら、このように配設した場合、導光体１１の湾曲部１１ｂの中央部分へ至るに従って暗くなる傾向がある。図９は、このような導光体１１にて発生する明暗の差をより緩和するにあたって考えうる導光体１１の構成のバリエーションを示す模式図である。
【００５０】
図９（ａ）に示す導光体１１Ａは、フード５に配設する場合に蛍光面１１ａを内方とするように湾曲させた構成を示している。この場合、光源１２から発せられた光は、端部近傍の蛍光面１１ａでの反射が抑制されるため、導光体１１Ａ内の比較的遠方まで到達することができ、導光体１１Ａの長手方向の明暗の差が緩和され、明るさが均一化される傾向にある。
【００５１】
図９（ｂ）に示す導光体１１Ｂは、図３に示した導光体１１のようにプレート状のアクリル樹脂を湾曲させるのではなく、予めフード５の内面形状に整合するよう湾曲させた形状に成形したものであり、アクリル樹脂からの削り出し、又は金型に溶融させたアクリル樹脂を流し込んだ後に冷却することによって成形することができる。図３に示した導光体１１のようにプレート状のアクリル樹脂を湾曲させた場合、内部に密度差が生じてしまい、この密度差が明暗の差を発生させる要因となっている可能性がある。従って、予め湾曲した形状として成形することにより、導光体１１Ｂの内部に生じる密度差を低減することができるため、明るさの均一化が図れると考えられる。なお、図９（ｂ）に示す導光体１１Ｂにおいても、蛍光面１１ａを湾曲部１１ｂの内方面に形成してあり、これによって明暗の差がより緩和されると考えられる。
【００５２】
図９（ｃ）に示す導光体１１Ｃは、長手方向の中央部の厚みｄ１が両端部の厚みｄ２よりも薄くなるように、両端部から中央部へ向かうに従って厚みが徐々に減少するよう構成されている。このような構成とすることにより、光源１２から入射された光は、光量の多い端部近傍では通路断面積が大きいゆえに蛍光面１１ａでの反射が抑制される一方、光量が少なくなっている中央部近傍では通路断面積が小さいゆえに蛍光面１１ａでの反射が促進される。その結果、中央部と両端部とで、蛍光面１１ａにて反射する光量が均一化されるため、導光体１１Ｃの長手方向における明暗の差が緩和されると考えられる。なお、図９（ｃ）に示す導光体１１Ｃにおいても、蛍光面１１ａを湾曲部１１ｂの内方面に形成してあり、これによって明暗の差がより一層緩和されると考えられる。
【００５３】
このように、図９（ａ）〜図９（ｃ）に示した導光体１１Ａ〜１１Ｃを、図３に示した導光体１１に換えてマッサージ機１に採用することにより、被施療者に視認される光の明暗の差が緩和され、より効率的に視覚的刺激を付与することができると考えられる。
【００５４】
［発光装置の他の構成例］
図１０は、他の構成を成す発光装置６０を示す斜視図であり、フード５に取り付けられた状態を、外殻部６を取り外して部分的に示している。また、図１１は、図１０に示す発光装置６０をXI-XI線に沿って切断したときの構成を示す断面図である。図１０及び図１１に示すように、発光装置６０が取り付けられたフード５は、既に述べた内殻部７とは若干異なる構成の内殻部６１を備えており、該内殻部６１は、その前側周縁部６１ａの近傍に該前側周縁部６１ａに沿って延設された長寸矩形状のスリット孔６１ｂを有している。
【００５５】
このスリット孔６１ｂには、長寸プレート状を成すアクリル樹脂製の散光部材６２が内殻部６１の内方から嵌め込まれており（図１１参照）、該散光部材６２の両端部は、スリット孔６１ｂの両端近傍にて内殻部６１に設けられたフランジ６１ｃにボルト締結されている。
【００５６】
また、内殻部６１には外方から反射部材６３がスリット孔６１ｂを覆うように被せられている。この反射部材６３は、スリット孔６１ｂとほぼ同長の管部材を長手方向に沿って縦割りにしたような樋状を成し、内面６３ａは滑らかな曲面状となっている。また、反射部材６３の長手方向に沿って延びる端部には、外側にオフセットした段状部分６３ｂが形成されており、この段状部分６３ｂの端面が内殻部６１においてスリット孔６１ｂの長手方向に沿う縁部に当接するように接続されている（図１１参照）。本実施の形態では、この反射部材６３はポリエチレン等の合成樹脂素材によって形成され、白色を呈している。
【００５７】
上記散光部材６２と反射部材６３との間にはスリット孔６１ｂに沿って延びるスペース６４が形成されており、該スペース６４には丸棒状の導光体６５が配設されている。また、スリット孔６１ｂの長手方向の両端部近傍には光源６６が設けられており（図１０では一方の光源６６のみを図示している）、導光体６５の両端部はこの光源６６に装着されている。図１０に示すように、光源６６は略矩形の筐体６６ａを備え、該筐体６６ａに形成された挿通孔（図示せず）に導光体６５の端部は挿通されている。また、筐体６６ａ内にはフルカラーＬＥＤ６６ｂが収容されており、このフルカラーＬＥＤ６６ｂは筐体６６ａに挿通された導光体６５の端面に対向するように設けられている。なお、本実施の形態では三原色の光度を制御することによってフルカラー発光が可能なフルカラーＬＥＤ６６ｂを採用しているが、三原色それぞれを発光する３つの単色ＬＥＤを備えるようにしてもよい。
【００５８】
このような構成を成す発光装置６０によれば、フルカラーＬＥＤ６６ｂを発光させると、その光は導光体６５の端面を介して入射して内部を伝搬しつつ、外方へ放射される。放射された光のうち、一部の光（直接光）はそのまま散乱部材６２を通じて外部（フード５の内方）へ放射され、他の光（反射光）は反射部材６３が有する曲面状の内面６３ａにて反射され、散光部材６２を通じて外部へ放射される。また、散光部材６２を通過する際に光は多方向へ散乱されるため、散乱部材６２の長手方向における輝度が均一化されるため、視認される色ムラの発生が抑制される。
【００５９】
なお、反射部材６３を無色の鏡面材料により形成すると、フード５の内方から見たときに発光時の色ムラ（散乱部材６２の長手方向における輝度の不均一）が際だってしまうため、本実施の形態では白色の反射部材６３を採用している。また、散光部材６２については、表面にシボ加工を施さないこととしている。これは、散光部材６２の表面（特に、導光体６５に対面する側の表面）にシボを設けると、光が乱反射してしまってロスが大きくなり、全体的に輝度が低下してしまうからである。
【００６０】
また、散乱部材６２を通過してフード５の内方へ放射される光の強度を更に向上させるためには、輝度のより高いＬＥＤを用いるか、又は反射部材６３の表面に白色蛍光塗料を塗布して蛍光面を形成すればよい。
【００６１】
なお、上述した説明では、椅子型のマッサージ機１について記載したが、本発明はこれに限られず、例えばマットレス型のマッサージ機にも適用することができる。この場合、マットレス型のマッサージ機において被施療者の頭部を覆うようにフード５を設ければよい。
【産業上の利用可能性】
【００６２】
本発明は、椅子型又はマットレス型等のマッサージ機に適用することができ、また、施療中の被施療者に対して視覚的な刺激を与えることができるマッサージ機に適用することができる。
【図面の簡単な説明】
【００６３】
【図１】本発明の実施の形態に係るマッサージ機の外観を示す斜視図である。
【図２】図１に示したフードの外観を示す斜視図である。
【図３】図２に示した発光装置の外観を示す斜視図である。
【図４】図３に示した光源を別の方向から見たときの外観を示す斜視図である。
【図５】発光装置をフードに取り付ける手順を示す図面である。
【図６】マッサージ機に設けられた各種の施療部を説明するための斜視図である。
【図７】マッサージ機の機能を説明するためのブロック図である。
【図８】発光装置、駆動回路、及び制御装置の一構成例を示す電気回路図である。
【図９】導光体の他の構成バリエーションを示す模式図である。
【図１０】他の構成を成す発光装置を示す斜視図であり、フードに取り付けられた状態を、外殻部を取り外して部分的に示している。
【図１１】図１０に示す発光装置をXI-XI線に沿って切断したときの構成を示す断面図である。
【符号の説明】
【００６４】
１      マッサージ機
１ａ    身体支持部
２      座部
３ｄ，３ｆ，３ｇ，４ｄ，２５ｃ  空気袋
４      フットレスト
５      フード
６ｂ    前側周縁部
１０，６０    発光装置
１１，１１Ａ〜１１Ｃ，６５  導光体
１１ａ  蛍光面
１１ｂ  湾曲部
１２，６６    光源
３０    マッサージ機構
３１    施療子
３２    スピーカ
４０    再生装置
４３，４３ａ  制御装置
４４    脈拍センサ
６２    散乱部材
６３    反射部材
【図１】
2008029804.tif 000003
【図２】
2008029804.tif 000004
【図３】
2008029804.tif 000005
【図４】
2008029804.tif 000006
【図５】
2008029804.tif 000007
【図６】
2008029804.tif 000008
【図７】
2008029804.tif 000009
【図８】
2008029804.tif 000010
【図９】
2008029804.tif 000011
【図１０】
2008029804.tif 000012
【図１１】
2008029804.tif 000013